(57)【要約】【課題】伝送路を通って受信された信号に含まれるノイズを好適に識別すること。【解決手段】信号受信装置は、受信手段と保持手段と決定手段と判別手段と識別手段とを具備する。受信手段は、信号を受信する。保持手段は、前記受信された信号の特性に関する情報を保持する。決定手段は、前記保持された情報を読み出し、当該読み出した情報に適応するパラメータ値を決定する。判別手段は、前記信号と前記決定されたパラメータ値とに基づいて、前記信号に含まれるノイズを判別する。識別手段は、前記判別された結果に基づいて、前記信号に含まれるノイズを識別する。【選択図】  図４
2012182534.tif 000002
【特許請求の範囲】
【請求項１】
信号を受信する受信手段と、
前記受信された信号の特性に関する情報を保持する保持手段と、
前記保持された情報を読み出し、当該読み出した情報に適応するパラメータ値を決定する決定手段と、
前記信号と前記決定されたパラメータ値とに基づいて、前記信号に含まれるノイズを判別する判別手段と、
前記判別された結果に基づいて、前記信号に含まれるノイズを識別する識別手段と、
を具備する信号受信装置。
【請求項２】
前記保持手段は、前記受信された信号の振幅に関する情報を保持し、
前記決定手段は、前記保持された信号の振幅に関する情報を読み出し、当該読み出した信号の振幅よりも小さい値となる閾値を前記パラメータ値として決定する請求項１に記載の信号受信装置。
【請求項３】
前記決定手段は、前記信号の振幅の範囲ごとに、当該振幅に適合する閾値を決定する請求項２に記載の信号受信装置。
【請求項４】
前記決定手段は、前記信号の振幅の範囲ごとに対応付けられ、予め記憶された複数の閾値の中から前記振幅に適合する閾値を決定する請求項３に記載の信号受信装置。
【請求項５】
前記決定手段は、予め記憶された係数を用いて、前記信号の振幅の範囲ごとに算出される閾値を決定する請求項３に記載の信号受信装置。
【請求項６】
信号を受信する信号受信装置による信号受信方法であって、
前記受信された信号の特性に関する情報を保持し、
前記保持された情報を読み出し、当該読み出した情報に適応するパラメータを決定し、
前記信号と前記決定されたパラメータとに基づいて、前記信号に含まれるノイズを判別し、
前記判別された結果に基づいて、前記信号に含まれるノイズを識別する信号受信方法。
【発明の詳細な説明】
【技術分野】
【０００１】
本発明の実施形態は、信号を受信する信号受信装置および信号受信方法に関する。
【背景技術】
【０００２】
近年、様々な態様の有線または無線の伝送路により、情報が装置間で通信されている。伝送路の特性を評価するパラメータとして、伝送すべき信号（以下、正規信号とも称する）とノイズとの比率（Ｓ／Ｎ比）が用いられることがある。従来から、伝送路を通る信号に含まれる正規信号の振幅とノイズの振幅とにより、Ｓ／Ｎ比が算出されていた。また、算出されたＳ／Ｎ比に応じて、伝送路による通信の信頼性を向上することが行われていた。
【先行技術文献】
【特許文献】
【０００３】
【特許文献１】特開２０１０−１４７７０８号公報
【発明の概要】
【発明が解決しようとする課題】
【０００４】
ところが従来は、信号に含まれる正規信号の振幅およびノイズの振幅をそれぞれ個別に測定することが一般的であった。伝送路の長さや径路に応じて、正規信号の振幅減衰、正規信号の高速化に伴う共振特性の変化、または伝送路間のクロストークといった問題が発生することがある。このような問題の発生により、信号に含まれる正規信号の振幅およびノイズの振幅がそれぞれ個別に測定されないことがあった。
【０００５】
そこで、本発明が解決しようとする課題は、伝送路を通って受信された信号に含まれるノイズを好適に識別することができる信号受信装置および信号受信方法を提供することである。
【課題を解決するための手段】
【０００６】
実施形態の信号受信装置は、受信手段と保持手段と決定手段と判別手段と識別手段とを具備する。受信手段は、信号を受信する。保持手段は、前記受信された信号の特性に関する情報を保持する。決定手段は、前記保持された情報を読み出し、当該読み出した情報に適応するパラメータ値を決定する。判別手段は、前記信号と前記決定されたパラメータ値とに基づいて、前記信号に含まれるノイズを判別する。識別手段は、前記判別された結果に基づいて、前記信号に含まれるノイズを識別する。
【図面の簡単な説明】
【０００７】
【図１】本実施形態に係る信号受信装置としての磁気ディスク装置（ＨＤＤ）を備える電子機器の構成を示すブロック図。
【図２】ＨＤＣに備えられ、受信した電気信号に含まれるノイズを識別する処理を実行するモジュールからなるシステム構成図。
【図３】ＨＤＣに備えられ、受信した電気信号に含まれるノイズを識別する処理を実行するモジュールからなるシステム構成図。
【図４】本実施形態に係るＨＤＤで実行される、受信した電気信号に含まれるノイズを識別する処理で利用される閾値を設定する動作を説明するためのフローチャート。
【発明を実施するための形態】
【０００８】
以下、本実施形態について図面を用いて説明する。
図１は、本実施形態に係る信号受信装置としての磁気ディスク装置（以下、ＨＤＤとも称する）１０を備える電子機器１５０の構成を示すブロック図である。電子機器１５０はホスト装置１００を備えている。ＨＤＤ１０は、通信媒体（ホストＩ／Ｆ）１２０を介してホスト装置１００と接続され、ホスト装置１００の記憶モジュールとして機能する。ホストＩ／Ｆ１２０は、ホスト装置１００とＨＤＤ１０とを接続し、ホスト装置１００とＨＤＤ１０との間のデータ及びコマンドといった情報の送受に係る通信に利用される。例えば、電子機器１５０は、パーソナルコンピュータであり、ホスト装置１００は、パーソナルコンピュータに備えられるチップセットＩＣである。本実施形態に係る信号受信装置として、ＳＳＤ（Solid State Drive）といった半導体メモリを記憶媒体として利用した半導体メモリ装置が適用されてもよい。
【０００９】
本実施形態に係るＨＤＤ１０は、磁気ディスク１、スライダ２、アーム３、ＶＣＭ（ボイスコイルモータ）４、及びＳＰＭ（スピンドルモータ）５などの機構部を有する。またＨＤＤ１０は、モータドライバ２１、ヘッドＩＣ２２、ＮＶＲＡＭ４３、及びコントローラ６０などの回路系ブロックを備える。コントローラ６０は、リードライトチャネルＩＣ（以下、ＲＤＣとも称する）３１、ＣＰＵ４１、ＲＡＭ４２、及びＨＤＣ（Hard Disc Controller）５０を含む。
【００１０】
本実施形態に係るＨＤＤ１０では、ホスト装置１００から送信される情報が電気信号として受信される。ホストＩ／Ｆ１２０は信号の伝送路として利用されるが、この伝送路で伝送される信号にノイズが混入することがある。本実施形態に係るＨＤＤ１０は、受信した電気信号の特性に関する信号特性情報に基づいて、受信した電気信号に含まれるノイズを識別する。すなわち、本実施形態に係るＨＤＤ１０は、伝送路を通って受信された信号に含まれるノイズを好適に識別することができる。
【００１１】
磁気ディスク１は、ＳＰＭ５に固定され、ＳＰＭ５が回転駆動することで回転する。磁気ディスク１の少なくとも一面は磁気的に情報が記録される記録面である。つまり、磁気ディスク１は磁気記録媒体である。記録面には例えば同心円の複数のトラックが定義され、各トラックはサーボ領域とデータ領域とを有する。サーボ領域には、磁気ディスク１の記録面上での物理的なアドレス情報が記録されている。また、ＨＤＤ１０に記録されるべき情報はデータ領域に記録される。
【００１２】
スライダ２は、磁気ディスク１の記録面に対応するようにアーム３の一端に備えられる。スライダ２は、リードヘッド（不図示）及びライトヘッド（不図示）を備えている。リードヘッド（不図示）は、磁気ディスク１の記録面に磁気記録された信号を読み取る。読み取られた信号は、アーム３上の導体パターンを介してヘッドＩＣ２２へ出力される。ライトヘッド（不図示）は、ヘッドＩＣ２２からアーム３上の導体パターンを介して入力されるライト信号（ライト電流）に応じて、磁気ディスク１の記録面に磁気記録する。
【００１３】
アーム３は、一端にスライダ２、他端に軸受部（不図示）を備えている。アーム３は、ＶＣＭ４への駆動電流の供給に応じて、軸受部（不図示）を回転中心として回転し、磁気ディスク１の記録面上でスライダ２を半径方向に移動させる。
【００１４】
ＶＣＭ４は、モータドライバ２１から供給される駆動信号（電流）に応じて駆動し、アーム３を回転させる。
ＳＰＭ５は、モータドライバ２１から供給される駆動信号（電流）に応じて駆動し、磁気ディスク１を回転させる。
モータドライバ２１は、コントローラ６０（さらに具体的にはＣＰＵ４１）からの制御信号に基づいて、ＶＣＭ４を駆動するための駆動信号（電流）をＶＣＭ４へ、ＳＰＭ５を駆動するための駆動信号（電流）をＳＰＭ５へ供給する。
【００１５】
ヘッドＩＣ２２は、スライダ２に備えられたリードヘッド（不図示）からアーム３上の導体パターンを介して入力された信号を増幅し、増幅した信号をリード情報としてコントローラ６０（さらに具体的にはＲＤＣ３１）に出力する。またヘッドＩＣ２２は、コントローラ６０（ＲＤＣ３１）から入力された記録情報に応じたライト信号（ライト電流）を、スライダ２に備えられたライトヘッド（不図示）へ、アーム３上の導体パターンを介して出力する。
【００１６】
コントローラ６０は、ＲＤＣ３１、ＣＰＵ４１、ＲＡＭ４２、及びＨＤＣ５０等を含むＳｏＣ（System On Chip）として構成される。コントローラ６０がＲＡＭ４２を含まず、コントローラ６０の外部にＲＡＭ４２が接続される構成であってもよい。
【００１７】
ＲＤＣ３１は、ヘッドＩＣ２２から入力されたリード情報に所定の処理を施して復号化し、復号化した情報をＨＤＣ５０へ出力する。またＲＤＣ３１は、ＨＤＣ５０から入力された記録対象の情報に所定の処理を施して符号化し、この符号化した情報を記録情報としてヘッドＩＣ２２へ出力する。ＲＤＣ３１は、リード情報からサーボ領域を示すサーボ信号を検出し、検出したサーボ信号から位置情報を抽出する。抽出された位置情報はＣＰＵ４１へ出力される。ＲＤＣ３１は、これらの処理のためにＲＡＭ４２をワークメモリとして利用する。
【００１８】
ＣＰＵ４１は、ＮＶＲＡＭ４３に記憶されたプログラムを実行することでＨＤＤ１０に備えられた各ブロックを制御するプロセッサである。例えばＣＰＵ４１は、ＶＣＭ４及びＳＰＭ５の回転制御処理、及び磁気ディスク１に対する情報記録処理といった複数の処理を制御する。本実施形態ではＣＰＵ４１は、ＨＤＣ５０で受信された電気信号の特性に関する信号特性情報を読み出す。またＣＰＵ４１は、読み出した信号特性情報に適応するパラメータ値を決定し、決定したパラメータ値をＨＤＣ５０に対して設定する処理を制御する。ＣＰＵ４１は、この処理が、ＨＤＤ１０とホスト装置１００との通信における特定のタイミングで実行されるように制御する。ＣＰＵ４１は、このようなプログラムの実行においてＲＡＭ４２をワークメモリとして利用する。
【００１９】
ＲＡＭ４２は、ＲＤＣ３１、ＣＰＵ４１及びＨＤＣ５０のワークメモリである。ＲＡＭ４２には揮発性メモリであるＤＲＡＭが適用される。
ＮＶＲＡＭ４３は、ＣＰＵ４１が実行するプログラムを記憶する不揮発性メモリである。ＮＶＲＡＭ４３に記憶されるプログラムは更新可能である。またＮＶＲＡＭ４３は、ＣＰＵ４１で実行される処理で利用されるパラメータ値を記憶する。
【００２０】
ＨＤＣ５０は、ホスト装置１００との間で情報を送信及び受信する通信処理を実行する。ＨＤＣ５０は、ＲＤＣ３１から入力された復号化された情報に所定の処理を施して符号化し、符号化した情報を送信情報としてホスト装置１００へ送信する。またＨＤＣ５０は、ホスト装置１００から送信されて受信した受信情報に所定の処理を施して復号化し、復号化した情報を記録対象の情報としてＲＤＣ３１へ出力する。本実施形態では、ＨＤＣ５０はホスト装置１００との間で、ＳＡＴＡ（Serial Advanced Technology Attachment）規格またはＳＡＳ（Serial Attached SCSI）規格といった所定の規格に準拠した通信処理を実行する。
【００２１】
本実施形態では、ＨＤＣ５０は、ホスト装置１００から送信された受信情報を電気信号として受信し、受信した電気信号の特性に関する信号特性情報をＣＰＵ４１へ提供する。またＨＤＣ５０は、ＣＰＵ４１から設定されるパラメータ値に基づいて、受信した電気信号に含まれるノイズを識別する処理を実行する。
【００２２】
このような構成により、本実施形態に係るＨＤＤ１０に備えられた複数のブロックによって、ホスト装置１００との間で情報を送信及び受信する通信処理が実行される。ＨＤＤ１０とホスト装置１００との通信に利用される伝送路で伝送される信号にノイズが混入することがある。このＨＤＤ１０で受信された信号特性情報に基づいて、受信された電気信号に含まれるノイズが識別される。すなわち、本実施形態に係るＨＤＤ１０は、伝送路を通って受信された信号に含まれるノイズを好適に識別することができる。
【００２３】
次に、図２を用いて、図１で説明したＨＤＣ５０に備えられ、受信した電気信号に含まれるノイズを識別する処理を実行するモジュールを説明する。
図２は、ＨＤＣ５０に備えられ、受信した電気信号に含まれるノイズを識別する処理を実行するモジュールからなるシステム構成図である。
ＨＤＣ５０は、差動アンプ２０１、振幅調整部２０２、Ｓ／Ｎ判別部２０３、信号処理部２０４、Ｉ／Ｏ部２０５を備える。ＨＤＣ５０は、ホスト装置１００から送信される差動信号（例えばＬＶＤＳ）を受信し、受信した差動信号を単一信号に変換する。変換された単一信号は、その信号の振幅が所定レベルとなるように調整され、調整後の信号に対して所定の信号処理が施される。所定の信号処理を施された後の信号は、ＲＤＣ３１へ出力される。また、差動信号から変換された単一信号に基づいて、伝送すべき信号（以下、正規信号とも称する）とノイズとが判別される。
【００２４】
差動アンプ２０１は、ホスト装置１００から送信される差動信号を受信し、受信した差動信号を単一信号に変換する。差動アンプ２０１は、変換された単一信号を振幅調整部２０２およびＳ／Ｎ判別部２０３へ出力する。差動アンプ２０１は、所定のバイアス信号に対して、受信した差動信号の差分となる信号を所定倍に増幅した信号を重畳することで単一信号に変換する。
【００２５】
振幅調整部２０２は、差動アンプ２０１から出力された単一信号に対して、周波数特性を可変するイコライジング処理および所定倍に増幅または減衰するアンプ処理を施す。振幅調整部２０２は、これらの処理により、所定の周波数特性および所定レベルの振幅に調整された信号を信号処理部２０４へ出力する。また振幅調整部２０２は、これらの処理による周波数特性や振幅の調整結果を保持し、保持した調整結果を信号特性情報としてＣＰＵ４１が読み出すことを許可する。本実施形態では、ＨＤＣ５０がＳＡＴＡまたはＳＡＳの規格に準拠した通信処理を実行するので、振幅調整部２０２は、ＦＦＥ（Feed Forward Equalization）やＤＦＥ（Decision Feedback Equalization）により構成される。振幅調整部２０２は、ＤＦＥを構成するＴａｐ係数を、信号特性情報としてＣＰＵ４１に読み出される。
【００２６】
Ｓ／Ｎ判別部２０３は、差動アンプ２０１から出力された単一信号に基づいて、正規信号とノイズとを判別する。この判別は、単一信号を所定の閾値と比較することで行われる。例えば、Ｓ／Ｎ判別部２０３は、単一信号が所定の閾値よりも大きれければ正規信号、小さければノイズであると判別する。判別に利用される閾値は、ＣＰＵ４１によって設定される。ＣＰＵ４１は、この閾値を、振幅調整部２０２から読み出した信号特性情報に基づいて設定する。例えば、信号特性情報と閾値とが対応付けられたテーブル情報が予め格納される態様や、信号特性情報により閾値が算出される態様が適用される。本実施形態では、ＨＤＣ５０がＳＡＴＡまたはＳＡＳの規格に準拠した通信処理を実行するので、Ｓ／Ｎ判別部２０３は、スケルチ回路により構成される。また、Ｓ／Ｎ判別部２０３は、正規信号とノイズとの判別結果を示すＳ／Ｎ情報を信号処理部２０４へ出力する。Ｓ／Ｎ情報は、２値化された情報として出力される。
【００２７】
信号処理部２０４は、Ｓ／Ｎ判別部２０３から出力されたＳ／Ｎ情報に基づいて、振幅調整部２０２から出力された所定の周波数特性および所定レベルの振幅に調整された信号から正規信号およびノイズを識別する。信号処理部２０４は、識別された正規信号に対して所定の処理を施して復号化し、復号化した情報を記録対象の情報としてＲＤＣ３１へ出力する。
【００２８】
Ｉ／Ｏ部２０５は、ＣＰＵ４１と、振幅調整部２０２およびＳ／Ｎ判別部２０３との間の情報の送受信に関する処理を行う。この処理により、ＣＰＵ４１は、振幅調整部２０２から信号特性情報を読出し、Ｓ／Ｎ判別部２０３に対して閾値を設定する。
【００２９】
このようにして、主にＨＤＣ５０およびＣＰＵ４１によって、受信した電気信号に含まれるノイズを識別する処理が行われる。従って、本実施形態に係るＨＤＤ１０は、伝送路を通って受信された信号に含まれるノイズを好適に識別することができる。
【００３０】
次に、図３を用いて、ＣＰＵ４１によってＳ／Ｎ判別部２０３に対して設定され、受信した電気信号に含まれるノイズを識別する処理で利用される閾値の具体例を説明する。
【００３１】
図３は、受信した電気信号に含まれるノイズを識別する処理で利用される閾値の具体例を示す図である。
図３（ａ）は、信号特性情報と閾値とが対応付けられたテーブル情報が予め格納される態様を示し、図３（ｂ）は、信号特性情報により閾値が算出される態様を示している。
【００３２】
図３（ａ）に示す態様では、差動アンプ２０１から出力された単一信号の振幅Ｖａの範囲毎に、閾値Ｖｔｈが予め対応付けられている。換言すると、複数のパラメータ候補となる複数の閾値が予め記憶されている。具体的には、単一信号の振幅がＶａ１〜Ｖａ２の範囲には閾値Ｖｔｈ１、単一信号の振幅がＶａ２〜Ｖａ３の範囲には閾値Ｖｔｈ２、単一信号の振幅がＶａ３〜Ｖａ４の範囲には閾値Ｖｔｈ３、単一信号の振幅がＶａ４よりも大きい範囲には閾値Ｖｔｈ４が、それぞれ対応付けられている。この具体例では、単一信号の振幅Ｖａが４つの範囲に区分されているが、４つの範囲に限定されない。また各範囲に対応付けられる閾値は、この範囲のうちで最も小さい値に対して十分に小さい値に設定されている。例えば、単一信号の振幅がＶａ１〜Ｖａ２の範囲の場合、閾値Ｖｔｈ１はＶａ１の１／２よりも小さい値であることが好ましい。この具体例で示したテーブル情報は、不揮発性の記憶部（例えばＮＶＲＡＭ４３）に記憶される。
【００３３】
図３（ｂ）に示す態様では、差動アンプ２０１から出力された単一信号の振幅Ｖａの範囲毎に、閾値Ｖｔｈが算出される。具体的には、単一信号の振幅がＶａ１〜Ｖａ２の範囲では閾値Ｖｔｈ１＝Ｋ＊Ｖａ１、単一信号の振幅がＶａ２〜Ｖａ３の範囲では閾値Ｖｔｈ２＝Ｋ＊Ｖａ２、単一信号の振幅がＶａ３〜Ｖａ４の範囲では閾値Ｖｔｈ３＝Ｋ＊Ｖａ３、単一信号の振幅がＶａ４よりも大きい範囲では閾値Ｖｔｈ４＝Ｋ＊Ｖａ４が、それぞれ算出される。Ｋは１よりも小さい値であり、各範囲に対する閾値は、各範囲のうちで最も小さい値に対して１よりも小さい値を乗じて算出される。つまり、各範囲に対応付けられる閾値は、この範囲のうちで最も小さい値に対して十分に小さい値となる。例えば、Ｋは１／２よりも小さい値であることが好ましい。この具体例では、単一信号の振幅Ｖａが４つの範囲に区分されているが、４つの範囲に限定されない。また、この具体例で示した定数Ｋは、不揮発性の記憶部（例えばＮＶＲＡＭ４３）に記憶される。
【００３４】
伝送路で伝送される信号にノイズが混入する場合、正規信号のレベルには依存せずに所定レベルのノイズが混入することがある。この場合、正規信号の振幅に対するノイズレベルは一定でなくなる。図３を用いて説明したように、何れの具体例によっても、受信された信号の信号特性情報に基づいて、Ｓ／Ｎを判別するための閾値が設定される。従って、本実施形態に係るＨＤＤ１０は、伝送路を通って受信された信号に含まれるノイズを好適に識別することができる。
【００３５】
次に、図４を用いて、受信した電気信号に含まれるノイズを識別する処理で利用される閾値を設定する動作を説明する。
図４は、本実施形態に係るＨＤＤ１０で実行される、受信した電気信号に含まれるノイズを識別する処理で利用される閾値を設定する動作を説明するためのフローチャートである。
【００３６】
前述したとおり、本実施形態では、ＨＤＣ５０がＳＡＴＡまたはＳＡＳの規格に準拠した通信処理を実行する。ＳＡＴＡまたはＳＡＳの規格では、ＨＤＤ１０とホスト装置１００との通信の初めに、ＯＯＢ（Out Of Band）シーケンスと称される、一連のコマンド送受信手順が行われる。このＯＯＢシーケンスでは、バーストパターンの相互出力によりマスタ／スレイブ、通信プロトコルなどが決定される。本実施形態では、このＯＯＢシーケンスの動作において、受信した電気信号に含まれるノイズを識別する処理で利用される閾値を設定する動作が行われる。
【００３７】
ホスト装置１００からＨＤＤ１０に備えられたＨＤＣ５０に対して、ＯＯＢシーケンスに係る信号が送信されると、入力された単一信号の振幅Ｖａの測定が行われる（Ｓ４０１）。入力された単一信号の振幅Ｖａの範囲が、Ｖａ１〜Ｖａ２である場合（Ｓ４０２のＹｅｓ）、閾値ＶｔｈがＶｔｈ１として設定される（Ｓ４０３）。一方、振幅Ｖａの範囲が、Ｖａ１〜Ｖａ２でない場合（Ｓ４０２のＮｏ）であって、振幅Ｖａの範囲が、Ｖａ２〜Ｖａ３である場合（Ｓ４０４のＹｅｓ）、閾値ＶｔｈがＶｔｈ２として設定される（Ｓ４０５）。一方、振幅Ｖａの範囲が、Ｖａ２〜Ｖａ３でない場合（Ｓ４０４のＮｏ）であって、振幅Ｖａの範囲が、Ｖａ３〜Ｖａ４である場合（Ｓ４０６のＹｅｓ）、閾値ＶｔｈがＶｔｈ３として設定される（Ｓ４０７）。一方、振幅Ｖａの範囲が、Ｖａ３〜Ｖａ４でない場合（Ｓ４０６のＮｏ）、閾値ＶｔｈがＶｔｈ４として設定される（Ｓ４０８）。入力された単一信号の振幅Ｖａの測定結果が、何れの範囲であっても、閾値Ｖｔｈが設定されると、ＯＯＢシーケンスの動作に引き続いて行われるネゴシエーション（通信速度に関するネゴシエーション）が開始される（Ｓ４０９）。
【００３８】
このようにして、ＨＤＣ５０において、受信した電気信号に含まれるノイズを識別する処理で利用される閾値を設定する動作が実行される。この閾値は、ＣＰＵ４１で実行されるプログラムによって、ＣＰＵ４１からＨＤＣ５０に対して設定される。従って、本実施形態に係るＨＤＤ１０は、伝送路を通って受信された信号に含まれるノイズを好適に識別することができる。
【００３９】
以上説明したように、本実施形態に係るＨＤＤ１０によれば、このＨＤＤ１０に備えられたＨＤＣ５０およびＣＰＵ４１によって、受信された信号の信号特性情報に基づいて、Ｓ／Ｎを判別するための閾値が設定される。そして、設定された閾値を利用して、受信した電気信号に含まれるノイズを識別する処理が行われる。従って、本実施形態に係るＨＤＤ１０は、伝送路を通って受信された信号に含まれるノイズを好適に識別することができる。
【００４０】
なお、少なくとも一つの実施形態を説明したが、説明した実施形態は一例として提示したものであり、発明の範囲はこの実施形態に限定されない。また、説明した実施形態は、本発明の要旨を変えない範囲において、種々の変更、改変等が可能である。さらに、前述した実施形態に開示されている複数の構成要素を適宜に組み合わせることにより、種々の発明を形成することができる。例えば、実施形態に示される全構成要素から幾つかの構成要素を削除してもよく、さらに、異なる実施形態に係る構成要素を適宜組み合わせても良い。これらの実施形態やその変形は、発明の範囲や要旨に含まれ、特許請求の範囲に記載された発明と、その均等の範囲に含まれるものである。
【符号の説明】
【００４１】
１…磁気ディスク、２…スライダ、３…アーム、４…ＶＣＭ（ボイスコイルモータ）、５…ＳＰＭ（スピンドルモータ）、１０…磁気ディスク装置（ＨＤＤ）、２１…モータドライバ、２２…ヘッドＩＣ、３１…リードライトチャネルＩＣ（ＲＤＣ）、４１…ＣＰＵ、４２…ＲＡＭ、４３…ＮＶＲＡＭ、５０…ＨＤＣ（Hard Disc Controller）、１００…ホスト装置、１２０…通信媒体（ホストＩ／Ｆ）、１５０…電子機器、２０１…差動アンプ、２０２…振幅調整部、２０３…Ｓ／Ｎ判別部、２０４…信号処理部、２０５…Ｉ／Ｏ部。
【図１】
2012182534.tif 000003
【図２】
2012182534.tif 000004
【図３】
2012182534.tif 000005
【図４】
2012182534.tif 000006